(57)【特許請求の範囲】
【請求項１】
建物の内部空間を開閉自在に間仕切りする不燃性または耐火性の可撓性を有するスクリーン幕を備え、該スクリーン幕に開閉扉および該開閉扉の開閉縁部に沿って当該開閉扉の開閉縁部を接離可能に覆う重合幕を設けた防火防煙用スクリーンシャッターにおいて、
上記開閉扉の開放に応じて上記開閉縁部から離隔された上記重合幕を当該離隔位置に強制的に位置保持するとともに、該開閉扉が閉じることに応じて該重合幕の位置保持を解除するストッパ機構を設けたことを特徴とする防火防煙用スクリーンシャッター。
【請求項２】
前記ストッパ機構は、前記スクリーン幕と前記重合幕との間に設けられ、前記開閉扉の開放に伴って伸びて該重合幕を離隔位置に保持する一方、閉じる該開閉扉に押されて縮められるバネ部材であることを特徴とする請求項１に記載の防火防煙用スクリーンシャッター。
【請求項３】
前記バネ部材は、開き方向に付勢された開閉自在なＶ字状板バネで形成され、その一辺が前記スクリーン幕に取付けられるとともに、他辺が閉じる前記開閉扉に係合されることを特徴とする請求項２に記載の防火防煙用スクリーンシャッター。
【請求項４】
前記ストッパ機構は、前記スクリーン幕と前記重合幕との間に設けられ、開放される前記開閉扉に押される該重合幕によって伸長されて該重合幕を離隔位置に保持する一方、閉じる該開閉扉に押されて畳まれるリンク機構であることを特徴とする請求項１に記載の防火防煙用スクリーンシャッター。
【請求項５】
前記リンク機構は、回動自在に連結された一対のリンク材で形成され、一方のリンク材が前記スクリーン幕に取付けられるとともに、他方のリンク材が前記重合幕に取り付けられ、少なくともいずれかのリンク材が閉じる前記開閉扉に係合されることを特徴とする請求項４に記載の防火防煙用スクリーンシャッター。
【請求項６】
前記開閉扉には、開け閉めされることにより痛みを受けやすい周辺部分に、強度を増強するための縫製が施されていることを特徴とする請求項１〜５いずれかの項に記載の防火防煙用スクリーンシャッター。
【発明の詳細な説明】
【０００１】
【発明の属する技術分野】
本発明は、不燃性または耐火性に富んだスクリーン幕で建物の内部空間を間仕切りすることにより、建物の延焼や煙の拡散を防止する防火防煙用スクリーンシャッターに関する。
【０００２】
【従来の技術】
建物の内部には、従来から火災時に備えて、火炎や煙を遮断するための防火隔壁や防火シャッターなどの防火設備や、人が避難できるようにするための防火開閉扉などの避難通路などが計画的に配備されている。最近、これら防火隔壁や防火シャッターなどに代わる新しい防火設備として、不燃性や耐火性のスクリーン幕を使用して火炎や煙を遮断する防火防煙用スクリーンシャッターが提案されている。
【０００３】
この防火防煙用スクリーンシャッターは、不燃性または耐火性に富み可撓性を有するスクリーン幕を巻取軸から繰り出して天井側から垂下させて設置したもので、スクリーン幕の下端縁にはウエイトが取り付けられていて、スクリーン幕の揺動を防止しその姿勢を安定した状態に保持できる。これによって、防火防煙用スクリーンシャッターは、建物の室内空間を間仕切りし、火炎や煙を遮断できるようになっている。また、この防火防煙用スクリーンシャッターには開閉扉が設けられて、このスクリーンシャッターを閉止した後にも開閉扉から人が通過して避難できるようになっている。
【０００４】
また、このように開閉扉が設けられた場合、その開閉部分の密閉性はスクリーン幕との突き合わせにより行われることになる。ところが、スクリーン幕は可撓性かつ軽量であるため、開閉扉を閉止した際に開閉部分との突き合わせ部分に隙間が発生し易く、また、火災によりスクリーンシャッターの内外に生ずる気圧差で開閉扉が押し開かれて隙間が発生してしまう。スクリーンシャッターは防火および防煙の観点からその気密性が要求されるが、上述したように開閉扉部分に隙間が発生すると、そこから空気が流入したり煙が流出したりして、防火防煙用スクリーンシャッターとしての機能が著しく低下してしまう。
【０００５】
そのため、開閉扉の開閉縁部に沿ってこれが閉止された際に当該開閉縁部を覆う重合幕を設け、この重合部分によって開閉扉の開閉縁部を覆うことにより、開閉扉の気密性を向上するようにした防火防煙用スクリーンシャッターが本出願人により既に提案されている。この場合は上記開閉扉が押し開かれる際、これの開閉縁部で重合幕を押し出して開きつつ該開閉扉が開動されることになるが、開閉扉の開度が大きくなって該開閉縁部から重合幕が離れると、該重合幕は自己の復元力により元に戻ることになり、その後、開閉扉が閉じられると、当該開閉扉とスクリーン幕との間に重合幕が挟まれてしまう。すると、その重合幕が挟まれた部分に隙間が発生してしまうため、重合幕を設けたにもかかわらず気密性が大きく損なわれてしまう。
【０００６】
そこで、上記重合幕には開閉扉の開動に伴って該重合幕を押し出して開閉縁部から離隔させるとともに、該開閉扉の閉止に伴って重合幕を開閉縁部に重ね合わせる開閉機構を設けて、開閉扉が閉じられたときに開閉扉の内側に重合幕が挟まれるのを防止する構造が考えられる。例えば、開閉扉が開かれている間はスプリングで重合幕を押し出した状態を保持し、開閉扉が閉じられた後にスプリングの保持力に逆らって重合幕を元の重ね合わせ状態に戻すようにすることである。
【０００７】
【発明が解決しようとする課題】
しかしながら、上記構造においても、開閉扉が開かれることにより押し出された状態にある重合幕に何らかの作用で当該重合幕にスプリングの保持力以上の外力が加わると、やはりこの重合幕が単独で元の状態に戻ってしまうことが考えられ、依然として開閉扉が閉じられた際にこの開閉扉とスクリーン幕との間に重合幕が挟まれてしまうおそれがあるという課題があった。
【０００８】
そこで、本発明はかかる従来の課題に鑑みて成されたもので、開閉扉の開放に伴って重合幕が押し出された際に、次に開閉扉が閉じられるまで該重合幕の押出し状態を強制的に保持し、かつまた開閉扉が閉じられるのに応じて重合幕を元に戻す動作の確実性を高めて、スクリーン幕と開閉扉との間に重合幕が挟まれるのを防止することができる防火防煙用スクリーンシャッターを提供することを目的とする。
【０００９】
【課題を解決するための手段】
かかる目的を達成するために本発明の防火防煙用スクリーンシャッターは、建物の内部空間を開閉自在に間仕切りする不燃性または耐火性の可撓性を有するスクリーン幕を備え、該スクリーン幕に開閉扉および該開閉扉の開閉縁部に沿って当該開閉扉の開閉縁部を接離可能に覆う重合幕を設けた防火防煙用スクリーンシャッターにおいて、上記開閉扉の開放に応じて上記開閉縁部から離隔された上記重合幕を当該離隔位置に強制的に位置保持するとともに、該開閉扉が閉じることに応じて該重合幕の位置保持を解除するストッパ機構を設けたことを特徴とする。
【００１０】
この構成によれば、開閉扉が開放されるのに従って開閉縁部から離隔された重合幕の状態がストッパ機構によって強制的に保持され、重合幕を元に戻す外力が作用した場合にも該重合幕を位置保持し、そして、開閉扉が閉じられるのに従ってストッパ機構による重合幕の位置保持が解除されて開閉扉の閉止によって重合幕を上記開閉縁部に適正に重ね合わせることができて、スクリーン幕と開閉扉との間に重合幕が挟まれてしまうのを確実に防止することができる。
【００１１】
また、前記ストッパ機構は、前記スクリーン幕と前記重合幕との間に設けられ、前記開閉扉の開放に伴って伸びて該重合幕を離隔位置に保持する一方、閉じる該開閉扉に押されて縮められるバネ部材であることが好ましい。
【００１２】
この構成によれば、バネ部材は、開閉扉が開かれた状態では相当の弾発力で伸びて重合幕を常に離隔位置に向かって押し戻して保持する機能を発揮するため、重合幕を元に戻す力が一時的に作用した場合にも重合幕の戻りを確実に阻止することができる。また、開閉扉が閉じられる際には当該開閉扉に押されて縮められ、重合幕はこれに対する位置保持が自動的に解除されて元に戻ることになる。
【００１３】
更に、前記バネ部材は、開き方向に付勢された開閉自在なＶ字状板バネで形成され、その一辺が前記スクリーン幕に取付けられるとともに、他辺が閉じる前記開閉扉に係合される構成とすれば、バネ部材によるストッパ機能を簡単に得ることができる。
【００１４】
他方、前記ストッパ機構は、前記スクリーン幕と前記重合幕との間に設けられ、開放される前記開閉扉に押される該重合幕によって伸長されて該重合幕を離隔位置に保持する一方、閉じる該開閉扉に押されて畳まれるリンク機構であってもよい。
【００１５】
この構成によれば、リンク機構は、開閉扉が開かれた状態ではスクリーン幕と重合幕との間で伸長されて戻らずに重合幕を離隔位置に保持する機能を発揮するため、重合幕を元に戻す力が作用した場合にも重合幕の戻りを確実に阻止することができる。また、開閉扉が閉じられる際には当該開閉扉に押されて畳み込まれ、重合幕はこれに対する位置保持が自動的に解除されて元に戻ることになる。
【００１６】
また、前記リンク機構は、回動自在に連結された一対のリンク材で形成され、一方のリンク材が前記スクリーン幕に取付けられるとともに、他方のリンク材が前記重合幕に取り付けられ、少なくともいずれかのリンク材が閉じる前記開閉扉に係合される構成とすれば、リンク機構によるストッパ機能を簡単に得ることができる。
【００１７】
さらに、開閉扉には、開け閉めされることにより痛みを受けやすい周辺部分に、強度を増強するための縫製が施されていて、これにより開閉扉およびその周辺の耐久性を向上させることができる。
【００１８】
【発明の実施の形態】
以下、本発明の実施形態を添付図面に基づき詳細に説明する。
図１から図６は本発明の防火防煙用スクリーンシャッターの一実施形態を示し、図１は防火防煙用スクリーンシャッターを全体的に示す斜視図、図２は防火防煙用スクリーンシャッターの開閉扉が開いたときの斜視図、図３は図１中Ａ−Ａ線からの拡大断面図、図４は図２中Ｂ−Ｂ線からの拡大断面図、図５は重合幕の強制保持状態を示す要部拡大断面図、図６はバネ部材の拡大斜視図である。
【００１９】
本実施形態の防火防煙用スクリーンシャッター１０は基本的には、建物の内部空間を開閉自在に間仕切りする不燃性または耐火性の可撓性を有するスクリーン幕１２を備え、スクリーン幕１２に開閉扉１６および開閉扉１６の開閉縁部に沿って当該開閉扉１６の開閉縁部を接離可能に覆う重合幕２０を設けた防火防煙用スクリーンシャッターにおいて、開閉扉１６が開放されることに応じて開閉縁部から離隔された重合幕２０を当該離隔位置に強制的に位置保持するとともに、開閉扉１６が閉じることに従って重合幕２０の位置保持を解除するストッパ機構５０を設けて構成され、ストッパ機構５０は、スクリーン幕１２と重合幕２０との間に設けられ、開閉扉１６の開放に伴って伸びて重合幕２０を離隔位置に保持する一方、閉じる開閉扉１６に押されて縮められるバネ部材５２であって、このバネ部材５２は具体的には、開き方向に付勢された開閉自在なＶ字状板バネで形成され、その一辺５２ａがスクリーン幕１２に取付けられるとともに、他辺５２ｂが閉じる開閉扉１６に係合されるようになっている。
【００２０】
即ち、本実施形態の防火防煙用スクリーンシャッター１０は、図１，図２に示すように回転シャフト１１から繰り出されあるいは回転シャフト１１に巻き取られるスクリーン幕１２に形成されたスリット１４によって開閉扉１６が形成され、このスリット１４が開閉扉１６の開閉縁部となっている。また、スクリーン幕１２には、スリット１４を覆うように重合幕２０が設けられ、この重合幕２０は開閉扉１６の開閉側に配置されるため開閉機能を備える。
【００２１】
ここで、上記スクリーン幕１２および重合幕２０は、ガラス繊維の織布やシリカクロスなどの不燃性あるいは耐火性に富んだ布製の素材から形成されていて、火炎および煙を遮断する機能を有している。
【００２２】
上記開閉扉１６の下端縁には扉用ウエイト２２が取り付けられるとともに、前記開閉側の重合幕２０の下端縁には重合幕用ウエイト２４が取り付けられる。また、これら開閉扉１６および重合幕２０を除いたスクリーン幕１２の下端縁にスクリーン用ウエイト２６が取り付けられる。そして、扉用ウエイト２２とスクリーン用ウエイト２６との間および重合幕用ウエイト２４とスクリーン用ウエイト２６との間にヒンジ部材２８，３０が設けられる。上記各ウエイト２２，２４，２６は、水平方向に一直線状に配列される。
【００２３】
上記開閉扉１６は、スリット１４とスクリーン幕１２の下端縁との間に位置して三角形状を成し、スリット１４の上端部から左斜め下方向に沿って一直線状に延びる斜辺３２に沿って折り曲げ自在に形成されている。そして、この開閉扉１６は、避難方向に開動するようにその裏面を手や体で押せば、図２に示したように斜辺３２に沿って折れ曲がりつつ、下端縁に取り付けられた扉用ウエイト２２とともにスクリーン幕１２の手前側へ押し出されて、スリット１４には人が通行するに十分な開口部が形成されることになり、この開口部が避難口３４となる。
【００２４】
また、上記扉用ウエイト２２は開閉扉１６が押圧されることによって、ヒンジ部材２８を中心として上方に持ち上げられるため、避難者が通過し開閉扉１６の押圧力が解除されたときは、その自重によって元の位置に復帰するように移動し、スリット１４は再び閉止される。
【００２５】
ところで、上記開閉側の重合幕２０は開閉扉１６の開動に伴って開動するとともに、開閉扉１６を閉じる際にはこの重合幕２０が邪魔になることなく開閉扉１６の閉動を許容し、かつ、開閉扉１６の閉止時には重合幕２０も同時に閉止される必要がある。このため、図３，図４に示すように上記重合幕用ウエイト２４と上記スクリーン用ウエイト２６との間に、開閉扉１６の開動に伴って重合幕２０を開放するとともに、該開閉扉１６の閉止に伴って該重合幕２０を閉止する開閉機構３６が設けられる。この開閉機構３６は、重合幕用ウエイト２４を開放側に付勢する付勢手段としてのスプリング３８と、この重合幕用ウエイト２４に設けられ、扉用ウエイト１６の閉動に伴って係合してこれとともに閉動し、開閉扉１６の閉止状態で重合幕２０を閉止状態に保持する係止部４０とを備えて構成される。
【００２６】
上記スプリング３８は、ヒンジ部材３０の両取付部３０ａ，３０ｂ間に跨って取り付けられ、このスプリング３８は閉止力が解除されることにより、図４に示すように重合幕用ウエイト２４を開動して略直角方向の開動位置を保持するように機能する。また、上記係止部４０はＬ字状に形成され、その一辺４０ａが重合幕用ウエイト２４の裏側に取り付けられるとともに、他辺４０ｂが扉用ウエイト２２の先端部に臨んで直角に突出する。従って、図３に示すように開閉扉１６の閉止状態では扉用ウエイト２２の先端部が係止部４０の他辺４０ｂに係合して重合幕２０の開動を阻止するとともに、開閉扉１６が閉じられる際には図４に示すように扉用ウエイト２２の先端部が他辺４０ｂに係合して、この開閉扉１６の閉止力で重合幕用ウエイト２４とともに重合幕２０が閉止される。
【００２７】
ここで、上記開閉機構３６に、開閉扉１６が開かれている状態で開閉縁部から離隔された重合幕２０の位置を強制的に保持するとともに、該開閉扉１６の閉動によって重合幕２０の強制保持を解除するストッパ機構５０を設けてある。該ストッパ機構５０としては図６に示すように、開き方向に付勢された開閉自在なバネ部材５２が備えられる。該バネ部材５２は中心軸５４を介して１辺５２ａおよび他辺５２ｂが開閉自在となり、これら両辺５２ａ，５２ｂはスプリング５６を介して開き方向に付勢されている。
【００２８】
バネ部材５２は、上記スクリーン用ウエイト２６の上記扉用ウエイト２２に対向する側に設けられ、その１辺５２ａが上記スクリーン用ウエイトに取付けられるとともに、他辺５２ｂを自由端部としてその先端５２ｃが上記係止部４０に対向配置される。このとき、該係止部４０は重合幕用ウエイト２４の内側に取付けられる関係上、上記他辺５２ｂの先端５２ｃが該係止部４０に対向されるが、要は該先端５２ｃを重合幕用ウエイト２４の内側に対向配置されておればよい。
【００２９】
従って、上記バネ部材５２は、他辺５２ｂが開閉扉１６の開動に伴って開かれ、その先端５２ｃが係止部４０（重合幕用ウエイト２４）の内側に対向することにより、この重合幕用ウエイト２４の戻りを図５に示すように筋交い状に支持する。このとき、図４に示す重合幕２０の直角の開き状態では、バネ部材５２の先端５２ｃと係止部４０との間に一定の間隔Ｌが設けられ、重合幕２０に閉じ方向の外力が作用した場合には、図５に示すように係止部４０が上記先端５２ｃに当接するまでに重合幕２０は少々閉じられることになるが、外力が無くなることにより重合幕用ウエイト２４はスプリング３８の引張力で再度図４に示す直角の開き状態に復帰される。一方、開閉扉１６に伴って扉用ウエイト２２が閉動される際、上記他辺５２ｂは図３に示すように該扉用ウエイト２２に押されて閉じられ、重合幕用ウエイト２４の筋交い支持が外される。
【００３０】
上記スクリーン幕１２は、通常は図外の天井裏に設置された巻取り装置に巻き取られて格納され、火災発生により各ウエイト２２，２４，２６の自重により巻取り装置から繰り出されて、建物の内部空間を間仕切りするようになっている。また、スクリーン幕１２は折り畳みによって格納することもできる。
【００３１】
以上の構成により本実施形態の防火防煙用スクリーンシャッター１０にあっては、スクリーン幕１２に形成される避難口３４の開閉扉１６は、該スクリーン幕１２の下端縁から上向きに形成されたスリット１４と、これを一辺とする斜辺３２とによって三角形状に形成されており、該開閉扉１６の開動時には該斜辺３２に沿って折り曲げられて簡単に避難口３４を開口でき、この避難口３４から安全かつ迅速に避難することができる。
【００３２】
ところで、上記開閉扉１６が閉止された状態では、この開閉扉１６の開閉縁部となるスリット１４は、スクリーン幕１２に設けられる重合幕２０で覆われるので、その気密性を大幅に向上することができる。従って、開閉扉１６部分から火災側に空気が入るのを防止して防火機能が向上し、かつ、火災で発生する煙が開閉扉１６部分から流出するのを防止して防煙機能を向上することができる。また、スクリーン幕１２は可撓性の重合幕２０を付加するのみであるから、スクリーンシャッター１０の格納時にあってもスクリーン幕１２の巻取りや折り畳みに支障が来されるのを防止することができる。
【００３３】
また、上記開閉扉１６、重合幕２０、スクリーン幕１２の下端縁に、扉用ウエイト２２、重合幕用ウエイト２４およびスクリーン用ウエイト２６が設けられるため、これら各ウエイト２２，２４，２６によってそれぞれ所定の張力が付加されて、開閉扉１６、開閉側の重合幕２０、スクリーン幕１２はそれぞれの平坦性が確保されるとともに、鉛直下方に垂下される状態が保持される。そして、扉用ウエイト２２とスクリーン用ウエイト２６との間にヒンジ部材２８を設け、かつ、重合幕用ウエイト２４とスクリーン用ウエイト１２との間にヒンジ部材３０を設けたことにより、開閉扉１６および重合幕２０は張力が付加された状態で安定的に開閉でき、それぞれの閉止状態での密閉性を確保することができる。
【００３４】
そして、上記重合幕用ウエイト２４と上記スクリーン用ウエイト２６との間に開閉機構３６を設けたので、開閉扉１６の開動に伴って重合幕２０を押し開いて開閉扉１６の開閉縁部から離隔し、この離隔状態はスプリング３８によって保持されるとともに、該開閉扉１６の閉止に伴って該重合幕２０を自動的に閉止することができる。このとき、上記開閉機構３６は扉用ウエイト２２の先端部が係止部４０の他面４０ｂに係合して、重合幕２０の閉止状態が保持されるようにした場合を開示したが、重合幕２０を開動方向に付勢するスプリング３８の両端取付点を結ぶ作用線が、ヒンジ部材３０の開動中心より内方に位置するように構成することにより、重合幕２０の閉止状態を該スプリング３８によって保持することができる。また、開閉機構３６はスプリング３８および係止部４０を備えた本実施形態の構成に限ることなく、その機能を享有する限りにおいて他の構成を採用することができる。
【００３５】
従って、上記開閉機構３６によって避難口３４の開閉扉１６を開けると、この開き方向の重合幕２０が開放された状態となるため、次に開閉扉１６を閉じるときにこの重合幕２０が邪魔になることなく、そして、開閉扉１６を閉止したときにはこの重合幕２０が閉止される。
【００３６】
ここで、本実施形態では上記開閉機構３６にストッパ機構５０を設けたことにより、重合幕２０を押し開き状態に保持するという開閉機構３６の機能を確実なものとすることができる。つまり、該ストッパ機構５０のバネ部材５２は、スクリーン用ウエイト２６の扉用ウエイト２２に対向する側に開き方向の付勢力をもって開閉自在に設けられるため、開閉扉１６が開かれた状態ではバネ部材５２は常時開かれた状態にあり、その先端５２ｃが上記重合幕用ウエイト２４の内側に対向してこれの戻りを筋交い状に支持するため、重合幕２０に閉じ方向の外力が作用した場合にもこれの戻りを確実に阻止することができる。また、開閉扉１６が閉じられる際には扉用ウエイト２４がバネ部材５２の他辺５２ｂを押して、上記筋交い支持を外すことができるため、重合幕２０は上記開閉機構３６の本来の機能をもって自動的に閉止されることになる。
【００３７】
従って、上記開閉機構３６によって開閉扉１６の開動に伴って重合幕２０は該開閉扉１６の開閉縁部から離隔されるが、この離隔された状態はストッパ機構５０によって強制的に支持され、重合幕２０に閉じ方向の外力が作用した場合にも該重合幕２０が開閉扉１６に先行して閉じられるのを阻止することができる。そして、上記ストッパ機構５０による重合幕２０の強制支持は開閉扉１６の閉動によって解除されるため、該開閉扉１６の閉止によって重合幕２０は上記開閉縁部に適正に重ね合わされる。従って、開閉扉１６の閉止状態ではその開閉縁部に重合幕２０が挟まれるのを確実に防止することができるため、開閉扉１６の気密性は保持されてスクリーン幕１２による防火防煙機能を確保することができる。
【００３８】
また、上記ストッパ機構５０として、開き方向に付勢された開閉自在なバネ部材５２を採用したので、その構造を著しく簡単なものとし、ひいてはこのように構造が簡単であるためその故障原因も少なくなり、火災という危険性が大きな非常時にあって確実に作動させることができ、その安全性を確保することができる。
【００３９】
ところで、本実施形態では上記開閉扉１６は斜辺３２に沿って折り曲げられるため、開閉扉１６を開けた際にはその下端縁に設けた扉用ウエイト２２はヒンジ部材２８を中心にして上方に持ち上げられる。このため、開閉扉１６の開放力を解除することにより、開閉扉１６は扉用ウエイト２２の自重により自動的に閉止されて、避難口３４から避難した後は開閉扉１６を確実に閉止してスクリーンシャッター１０の密閉性を保持することができる。
【００４０】
また、本実施形態では上記バネ部材５２を図６に示したように２辺５２ａ，５２ｂがスプリング５６を介して開き方向に付勢された場合を示したが、これに限ることなく開き方向に付勢された両辺５２ａ，５２ｂを備えて構成されればよく、例えば図７に示すように一枚のばね板材をＶ字状に折曲して構成することもできる。勿論、このように構成された２辺５２ａ，５２ｂ間の付勢力は、本実施形態のように開閉扉１６が三角形状に形成されて自動的に閉止される構造では、この開閉扉１６の閉止力より小さく設定されることになる。
【００４１】
上記実施形態では、開閉機構３６を備えた場合を例にとって説明したが、開閉機構３６は必ずしも必要ではなく、開閉扉１６の開放に伴って自らの付勢力でバネ部材５２が開き、閉じられる開閉扉１６によって他辺５２ｂが押されてバネ部材５２が閉じられるようにバネ部材５２を設置することによって必要な作用・効果を得ることができる。
【００４２】
図８〜図１０に他の実施形態を示す。この実施形態では、開閉機構を備えない場合を例にとって説明するが、上記実施形態と同様に開閉機構を備えて構成しても良いことはもちろんである。
【００４３】
本実施形態にあっては基本的には、ストッパ機構１５０がスクリーン幕１２と重合幕２０との間に設けられ、開放される開閉扉１６に押される重合幕２０によって伸長されて重合幕２０を離隔位置に保持する一方、閉じる開閉扉１６に押されて畳まれる、金属製ないし耐熱性の素材で形成されたリンク機構１５２で構成され、リンク機構１５２は具体的には、回動自在に連結された一対のリンク材１５２ａ，１５２ｂで形成されて、一方のリンク材１５２ａがスクリーン幕１２に取付けられるとともに、他方のリンク材１５２ｂが重合幕２０に取り付けられ、少なくともいずれかのリンク材１５２ａ、１５２ｂが閉じる開閉扉１６に係合されるようになっている。
【００４４】
具体的には図示するように、一方のロッド状のリンク材１５２ｂの一端に、これに設けたコ字状ブラケット１５４で挟み込んで他方のロッド状のリンク材１５２ａの一端が回転自在に結合され、これら一対のリンク材１５２ａ，１５２ｂで折り畳み・伸長可能なリンク機構１５０が構成されている。また各リンク材１５２ａ，１５２ｂの他端には、相対回転可能に取付ブラケット１５６ａ，１５６ｂがそれぞれ設けられ、これら取付ブラケット１５６ａ，１５６ｂを介してリンク材１５２ａ，１５２ｂは、スクリーン幕１２および重合幕２０のウエイト２４，２６にそれぞれ取り付けられる。
【００４５】
そして当該リンク機構１５０は、開閉扉１６の開放に伴って押し開かれた重合幕２０をその伸長によって位置保持するとともに、閉じようとする開閉扉１６若しくはそのウエイト２２がリンク機構１５０のいずれかのリンク材１５２ａ，１５２ｂ、図示例では重合幕２０側のリンク材１５２ｂに突き当たって当該リンク材１５２ｂが押されることによって折り畳まれて、開閉扉１６をスクリーン幕１２との間に挟み込むようして重合幕２０が元に戻るようになっている。このような実施形態にあっても、上記実施形態と同様な作用・効果を奏することはもちろんである。
【００４６】
また、上記実施形態にかかる防火防煙用スクリーンシャッターにおいて、これを構成する各種部品のうち、各種ウエイトなどの硬質部品はその角部などのエッジ部分が湾曲面に加工成形されてとがった部分がないように製作され、これにより避難者がつまづいたり転んだりしたときに不慮のけがをすることがないようになされている。
【００４７】
さらに、図１１〜２４には、上記実施形態に適用可能な種々の改善が示されている。図１１および図１２に示すように、扉用ウエイト２２には、開閉扉１６が押し開けられて避難者が通過する避難口３４が形成される側に面する一側面に、難燃性のクロロプレンゴム等からなるクッション材６０が設けられる。具体的には、クッション材６０は、スクリーン幕１２の下端縁を折り返して形成した袋状部分６１に挿入される扉用芯材６２を表裏から挟んで設けられる一対の扉用ウエイト片２２ａ，２２ｂの一方の側面に、これら扉用ウエイト片２２ａ，２２ｂを扉用芯材６２に組み付ける皿ビス６３で共締めされて取り付けられる。このように避難者の避難方向に面して扉用ウエイト２２に設けたクッション材６０によれば、開閉扉１６を開けて避難する際にヒンジ部材２８を中心として上方に持ち上げられて、ちょうど避難者の足元やすねの高さとなる扉用ウエイト２２が避難者の足に直接当たることを防止できるとともに、そのクッション性により避難者がけがをすることを防ぐことができる。
【００４８】
また図１３および図１４には、布製の素材で形成されていて開け閉めされることにより痛みを受けやすい開閉扉１６周辺部分の強度を増強するために考慮された各種の縫製構造が示されている。スクリーン幕１２は例えば、図１３（ａ）に示す矩形状の左側幕片１２ａの上部切り込み部６４ａと図１３（ｂ）に示す矩形状の右側幕片１２ｂの上部切り込み部６４ｂとを互いに重ね合わせて縫合し、またこれら切り込み部６４ａ，６４ｂ下方の張り出し部６５ａ，６５ｂを互いに重ね合わせて形成される。この張り出し部６５ａ，６５ｂの重ね合わせ部分では、開閉扉１６が備えられる右側幕片１２ｂに対し、この開閉扉１６の開き方向とは反対側に左側幕片１２ａが重ねられるようになっている（図１４参照）。また重合幕２０は帯状に形成され、図１４および図１５に示すように左側幕片１２ａとは反対側となる開閉扉１６の開き側に、左側幕片１２ａの張り出し部６５ａとの間に右側幕片１２ｂの張り出し部６５ｂを挟み込むように重ね合わされる。この重合幕２０は図１４に示すように、右側幕片１２ｂの張り出し部６５ｂを取り囲むようにその上縁から一方の側縁にわたって、切り込み部６４ａ，６４ｂの縫合部分を横切ってＬ字状に左側幕片１２ａに縫合され、これにより縫合されない他方の側縁から下縁にわたる間が開閉扉１６の押し開きに応じて押し開かれるようになっている。
【００４９】
図１４（ａ）中のＷ−Ｗ線矢視である図１４（ｂ）に示すように、これら張り出し部６５ａ，６５ｂの側縁および重合幕２０の押し開かれる側縁それぞれには、これらを取り巻くようにして折り返された帯状の補強布６６が縫合される。  さらに図１３および図１４のＰ部からＵ部について詳細に説明する。
【００５０】
（１）Ｐ部およびＱ部について
右側幕片１２ｂおよび左側幕片１２ａの下端縁はそれぞれ基本的には図１６および図１７に示すように、幕片１２ａ，１２ｂの裾を全体的に折り返して折り返し先端を幕片１２ａ，１２ｂにその幅方向に沿って縫合することで袋状に形成され、この袋状部分６７の内部に芯材６８が挿入されるようになっている（図１４参照）。このように構成された各幕片１２ａ，１２ｂの張り出し部６５ａ，６５ｂ下端縁、すなわちＰ部およびＱ部の縫合部分には、開閉扉１６の開閉に応じてこれを引き裂くような力が働くことになる。このような引き裂き力を考慮した縫製としては、図１８に示すような構造が考えられる。
【００５１】
▲１▼図１８（ａ）は、幕片１２ａ，１２ｂの全幅にわたって縫合する構造。
▲２▼図１８（ｂ）およびそのＦ−Ｆ線矢視である図１８（ｃ）は、Ｐ部およびＱ部の袋状部分６７に、幕片１２ａ，１２ｂを挟み込むように折り返した補強布６９を挿入して当該幕片１２ａ，１２ｂに縫合する構造。
▲３▼図１８（ｄ）は、Ｐ部およびＱ部に対する縫合を行わずに折り返し先端７０をフリーな状態にする構造がある。
【００５２】
このような各種構造に対して引き裂き強力試験を行った結果、▲１▼では縫製部分で破断したり、幕片１２ａ，１２ｂ自体が破断するなどの形態で、平均４３．３ｋｇの強度が認められた。▲２▼では幕片１２ａ，１２ｂが補強されて、縫製部分で破断するなどの形態で、平均９８．３ｋｇの強度が認められた。▲３▼では折り返し先端７０の縫製開始部分で破断するなどの形態で、平均１１０ｋｇの強度が認められた。
これら結果からすると、▲２▼および▲３▼の構造の適用が好ましく、特に▲２▼と比べて構造が簡単で、また縫製作業も、その品質管理も容易な▲３▼の構造がもっとも好ましい。
【００５３】
（２）Ｒ部について
重合幕２０は図１９および図２０に示すように、左側幕片１２ａにその高さ方向に沿って縫合した帯状の取付布片７１を介して、当該左側幕片１２ａに取り付けられる。取付布片７１は左側幕片１２ａに縫合された一側縁側の縫合端７１ａに対してその反対側の他側縁が自由端７１ｂとされ、この自由端７１ｂに重合幕２０の側縁がその高さ方向に沿って縫合されるようになっていて、これにより重合幕２０が左側幕片１２ａに取り付けられる。そして特に、開閉扉１６の開閉に応じて屈曲される重合幕２０下端部付近のＲ部においては、重合幕２０と取付布片７１の縫合部分に、これを挟み込んで覆うように折り返して矩形状の補強布７２が当てられ、この補強布７２の折り返し先端がそれぞれ取付布片７１および重合幕２０に高さ方向に沿って縫製される。これにより、開閉扉１６の開閉に応じて引き裂き力が作用する重合幕２０と取付布片７１との縫合部分が補強されるようになっている。
【００５４】
（３）Ｓ部について
右側幕片１２ｂおよび左側幕片１２ａの上端縁もそれぞれ基本的には図１６および図２１に示すように、幕片１２ａ，１２ｂの上端を全体的に折り返して折り返し先端を幕片１２ａ，１２ｂにその幅方向に沿って縫合することで袋状に形成される。そして、上述したこれら左側幕片１２ａと右側幕片１２ｂとの縫合部分にも、開閉扉１６の開閉に応じて引き裂き力が作用する。このような引き裂き力を考慮した縫製としては、図２２に示すような構造が考えられる。
【００５５】
▲１▼図２２（ａ）は、切り込み部６４ａ，６４ｂと張り出し部６５ａ，６５ｂの重ね合わせ形状に沿ってＴ字状に縫合する構造。
▲２▼図２２（ｂ）は、開閉扉１６の開閉に応じて引き裂き力がかかる右側幕片１２ｂの張り出し部６５ｂ上端側縁に、これを挟み込むように折り返した矩形状の補強布７３を予め縫合しておき、この補強布７３を備えた右側幕片１２ｂと左側幕片１２ａとを▲１▼と同様に縫合する構造。
▲３▼図２２（ｃ）は、▲１▼とほぼ同様な縫合であって、右側幕片１２ｂの張り出し部６５ｂ上端部分では、開閉扉１６が開閉される際の当該右側幕片１２ｂのめくり形態ｇに沿って斜めに縫合する構造。
▲４▼図２２（ｄ）は、▲２▼の構造に加えて、左側幕片１２ａには、上記補強布７３が当てられた部分に合わせて矩形状の補強布７４を予め縫合しておき、これら補強布７３，７４を備えた右側幕片１２ｂと左側幕片１２ａとを▲１▼と同様に縫合する構造。
▲５▼図２２（ｅ）は、▲１▼の縫合を行ったあとで、右側幕片１２ｂの張り出し部６５ｂ上端部分から左側幕片１２ａにわたる部分を覆って補強布７５を当てて縫合する構造がある。
【００５６】
このような各種構造に対して引き裂き強力試験を行った結果、▲１▼では縫製部分で破断するなどの形態で、平均１６ｋｇの強度が認められた。▲２▼でも縫製部分で破断するなどの形態で、平均２８ｋｇの強度が認められた。▲３▼でも縫製部分で破断するなどの形態で、平均４１．３ｋｇの強度が認められた。▲４▼では縫製部分で破断したり、補強布７３，７４を縫製した部分で破断するなどの形態で、平均４３．６ｋｇの強度が認められた。▲５▼では補強布７５を縫製した部分で破断するなどの形態で、平均２９．３ｋｇの強度が認められた。
これら結果からすると、▲３▼および▲４▼の構造の適用が好ましく、特に▲４▼と比べて構造が簡単で、また縫製作業も、その品質管理も容易な▲３▼の構造がもっとも好ましい。
【００５７】
（４）Ｔ部について
開閉扉１６の開閉に際して斜辺３２に従って折り返される右側幕片１２ｂのヒンジ部材２８周辺部は繰り返し屈曲されるので、図２３に示すように当該ヒンジ部分２８周辺のＴ部にも補強布７６が縫製される。
【００５８】
（５）Ｕ部について
さらにスクリーン幕１２は上述したように、回転シャフト１１から繰り出され、また回転シャフト１１に巻き取られるようになっている。特に、回転シャフト１１の外径がその軸方向の途中で部分的に小径化されたり、あるいは回転シャフト１１が分断される場合には、当該回転シャフト１１の径変化部分においてスクリーン幕１２に摩耗が生じやすい。このような場合には図１３および図２４に示すように、回転シャフト１１に最初に巻き取られるスクリーン幕１２上端部の、当該回転シャフト１１の径変化部分に面する箇所に高さ方向に沿って、帯状の補強布７７を縫製することが好ましい。このようにすれば、補強布７７を回転シャフト１１の径変化部分に当てることができて、スクリーン幕１２自体の摩耗を防止することができる。
【００５９】
上述した各種補強布６６，６９，７２，７３，７４，７５，７７の素材としては、テント等に用いられる耐熱性や高耐力を備えた、防水加工をした高強力有機繊維のクロスや、フッ素含浸ガラスクロス等のＡ種幕体が用いられる。またこれ以外にも、アルミナ繊維やセラミック繊維、ステンレス繊維を用いたクロスを適用することができる。
【００６０】
【発明の効果】
以上説明したように、本発明にあっては、開閉扉の開放に応じて開閉縁部から離隔された重合幕の状態がストッパ機構によって強制的に保持され、重合幕を元に戻す外力が作用した場合にも該重合幕を位置保持し、そして、開閉扉を閉じることに応じてストッパ機構による重合幕の位置保持が解除されて開閉扉の閉止によって重合幕を上記開閉縁部に適正に重ね合わせることができて、スクリーン幕と開閉扉との間に重合幕が挟まれてしまうのを確実に防止することができる。
【００６１】
また、前記ストッパ機構をバネ部材とすることにより、開閉扉が開かれた状態では相当の弾発力で伸びて重合幕を常に離隔位置に向かって押し戻して保持する機能を発揮するため、重合幕を元に戻す力が一時的に作用した場合にも重合幕の戻りを確実に阻止することができる。また、開閉扉が閉じられる際には当該開閉扉に押されて縮められ、重合幕はこれに対する位置保持が自動的に解除されて元に戻すことができる。
【００６２】
更に、前記バネ部材は、開き方向に付勢された開閉自在なＶ字状板バネで形成され、その一辺が前記スクリーン幕に取付けられるとともに、他辺が閉じる前記開閉扉に係合される構成とすれば、バネ部材によるストッパ機能を簡単に得ることができる。
【００６３】
他方、前記ストッパ機構をリンク機構とすることにより、開閉扉が開かれた状態ではスクリーン幕と重合幕との間で伸長されて戻らずに重合幕を離隔位置に保持する機能を発揮するため、重合幕を元に戻す力が作用した場合にも重合幕の戻りを確実に阻止することができる。また、開閉扉が閉じられる際には当該開閉扉に押されて畳み込まれ、重合幕はこれに対する位置保持が自動的に解除されて元に戻すことができる。
【００６４】
また、前記リンク機構は、回動自在に連結された一対のリンク材で形成され、一方のリンク材が前記スクリーン幕に取付けられるとともに、他方のリンク材が前記重合幕に取り付けられ、少なくともいずれかのリンク材が閉じる前記開閉扉に係合される構成とすれば、リンク機構によるストッパ機能を簡単に得ることができる。
【００６５】
さらに、開閉扉には、開け閉めされることにより痛みを受けやすい周辺部分に、強度を増強するための縫製が施されていて、これにより開閉扉およびその周辺の耐久性を向上させることができる。
【図面の簡単な説明】
【図１】本発明の一実施形態を示す防火防煙用スクリーンシャッターを全体的に示す斜視図である。
【図２】本発明の一実施形態を示す防火防煙用スクリーンシャッターの開閉扉が開いたときの斜視図である。
【図３】本発明の一実施形態を示す図１中Ａ−Ａ線からの拡大断面図である。
【図４】本発明の一実施形態を示す図２中Ｂ−Ｂ線からの拡大断面図である。
【図５】本発明の一実施形態を示す重合幕の強制支持状態を示す要部拡大断面図である。
【図６】本発明の一実施形態を示す開閉部材の拡大斜視図である。
【図７】本発明の他の実施形態を示す開閉部材の拡大斜視図である。
【図８】本発明の他の実施形態を示す開閉扉を開放した状態を示す平面断面図である。
【図９】図８の開閉扉を閉じた状態を示す平面断面図である。
【図１０】本発明の他の実施形態に用いられるリンク機構を示す、図８中Ｃ方向矢視図である。
【図１１】上記実施形態に適用可能なクッション材を示す斜視図である。
【図１２】図１１のクッション材の取付構造を示す分解斜視図である。
【図１３】上記実施形態に適用可能な補強構造の適用箇所を説明するための図である。
【図１４】図１３の補強構造の適用箇所をさらに説明するための図である。
【図１５】図１３中Ｘ−Ｘ線矢視断面図である。
【図１６】図１３のスクリーン幕の縫製構造を示す正面図である。
【図１７】図１６中Ｙ−Ｙ線矢視断面図である。
【図１８】Ｐ，Ｑ部の縫製構造を説明するための図である。
【図１９】Ｒ部の縫製構造を説明するための正面図である。
【図２０】Ｒ部の縫製構造をさらに説明するための図である。
【図２１】図１６中Ｚ−Ｚ線矢視断面図である。
【図２２】Ｓ部の縫製構造を説明するための図である。
【図２３】Ｔ部の縫製構造を説明するための図である。
【図２４】Ｕ部の縫製構造を説明するための図である。
【符号の説明】
１０  防火防煙用スクリーンシャッター
１２  スクリーン幕
１４  スリット
１６  開閉扉
２０  重合幕
２２  扉用ウエイト
２４  重合幕用ウエイト
２６  スクリーン用ウエイト
２８，３０  ヒンジ部材
３６  開閉機構
３８  スプリング
４０  係止部
５０，１５０  ストッパ機構
５２  バネ部材
１５２  リンク機構
１５２ａ，１５２ｂ  リンク材
【図１】
0004427179.tif 000002
【図２】
0004427179.tif 000003
【図３】
0004427179.tif 000004
【図４】
0004427179.tif 000005
【図５】
0004427179.tif 000006
【図６】
0004427179.tif 000007
【図７】
0004427179.tif 000008
【図８】
0004427179.tif 000009
【図９】
0004427179.tif 000010
【図１０】
0004427179.tif 000011
【図１１】
0004427179.tif 000012
【図１２】
0004427179.tif 000013
【図１３】
0004427179.tif 000014
【図１４】
0004427179.tif 000015
【図１５】
0004427179.tif 000016
【図１６】
0004427179.tif 000017
【図１７】
0004427179.tif 000018
【図１８】
0004427179.tif 000019
【図１９】
0004427179.tif 000020
【図２０】
0004427179.tif 000021
【図２１】
0004427179.tif 000022
【図２２】
0004427179.tif 000023
【図２３】
0004427179.tif 000024
【図２４】
0004427179.tif 000025